【手続補正書】
【提出日】平成18年9月4日(2006.9.4)
【手続補正１】
【補正対象書類名】明細書
【補正対象項目名】特許請求の範囲
【補正方法】変更
【補正の内容】
【特許請求の範囲】
【請求項１】  個体由来の試験試料を、Ｍａファミリーポリペプチドに対する抗体の存在について評価する工程を含み、その際、Ｍａファミリーポリペプチドが、
a）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
b）Ｍａ１（配列番号：４）、
c）Ｍａ２（配列番号：７）、
d）Ｍａ３（配列番号：９）、
e）Ｍａ４（配列番号：１１）、ならびに
f）Ｍａ５（配列番号：１３）
からなる群より選択され、Ｍａファミリーポリペプチドに対する抗体の存在が新生物の存在と関連する神経学的障害の存在を示す、個体における新生物の存在と関連する神経学的障害の診断方法。
【請求項２】  ＭａファミリーポリペプチドがＭａ１である請求項１記載の方法。
【請求項３】  ＭａファミリーポリペプチドがＭａ２である請求項１記載の方法。
【請求項４】  新生物の存在と関連する神経学的障害が、腫瘍随伴性辺縁系脳炎（ｐａｒａｎｅｏｐｌａｓｔｉｃ  ｌｉｍｂｉｃ  ｅｎｃｅｐｈａｌｉｔｉｓ）もしくは脳幹脳炎、または腫瘍随伴性辺縁系脳炎および脳幹脳炎の双方である、請求項３記載の方法。
【請求項５】  個体由来の試験試料を、Ｍａファミリーポリペプチドに対する抗体の非存在について評価する工程を含み、その際、Ｍａファミリーポリペプチドが、
a）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
b）Ｍａ１（配列番号：４）、
c）Ｍａ２（配列番号：７）、
d）Ｍａ３（配列番号：９）、
e）Ｍａ４（配列番号：１１）、ならびに
f）Ｍａ５（配列番号：１３）
からなる群より選択され、Ｍａファミリーポリペプチドに対する抗体の非存在が新生物の存在と関連する神経学的障害の非存在を示す、個体における新生物の存在と関連する神経学的障害の診断方法。
【請求項６】  ＭａファミリーポリペプチドがＭａ１である請求項５記載の方法。
【請求項７】  ＭａファミリーポリペプチドがＭａ２である請求項５記載の方法。
【請求項８】  新生物の存在と関連する神経学的障害が、腫瘍随伴性辺縁系脳炎もしくは脳幹脳炎、または腫瘍随伴性辺縁系脳炎および脳幹脳炎の双方である、請求項７記載の方法。
【請求項９】  ａ）  存在する場合、抗体がＭａファミリーポリペプチドに結合可能な条件下、個体由来の試験試料を、Ｍａファミリーポリペプチドが、
1）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
2）Ｍａ１（配列番号：４）、
3）Ｍａ２（配列番号：７）、
4）Ｍａ３（配列番号：９）、
5）Ｍａ４（配列番号：１１）、ならびに
6）Ｍａ５（配列番号：１３）
からなる群より選択される、Ｍａファミリーポリペプチド試料に接触させ、それにより接触試料を生成させる工程；並びに
ｂ）  接触試料中の抗−Ｍａファミリーポリペプチド抗体の量を、基準量と比較する工程、
を含み、接触試料中の抗−Ｍａファミリーポリペプチド抗体の量が基準量と同じか又は基準量より多いことが、新生物の存在と関連する神経学的障害の存在を示す、個体における新生物の存在と関連する神経学的障害の診断方法。
【請求項１０】  Ｍａファミリーポリペプチド試料がＭａ１を含有してなる請求項９記載の方法。
【請求項１１】  Ｍａファミリーポリペプチド試料がＭａ２を含有してなる請求項９記載の方法。
【請求項１２】  Ｍａファミリーポリペプチド試料がＭａ１及びＭａ２を含有してなる請求項９記載の方法。
【請求項１３】  試験試料が、血液、血清、脳脊髄液、尿、鼻分泌物及び唾液からなる群より選ばれる試料を含有してなる請求項９記載の方法。
【請求項１４】  試験試料が、体液又は体組織の試料から単離された抗体を含有してなる請求項９記載の方法。
【請求項１５】  ａ）  存在する場合、抗体がＭａファミリーポリペプチドに結合可能な条件下、個体由来の試験試料を、Ｍａファミリーポリペプチドが、
1）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
2）Ｍａ１（配列番号：４）、
3）Ｍａ２（配列番号：７）、
4）Ｍａ３（配列番号：９）、
5）Ｍａ４（配列番号：１１）、ならびに
6）Ｍａ５（配列番号：１３）
からなる群より選択される、Ｍａファミリーポリペプチド試料に接触させ、それにより接触試料を生成させる工程；並びに
ｂ）  接触試料中の抗−Ｍａファミリーポリペプチド抗体の量を、基準量と比較する工程、
を含み、接触試料中の抗−Ｍａファミリーポリペプチド抗体の量が基準量より少ないことが、新生物の存在と関連する神経学的障害の非存在を示す、個体における新生物の存在と関連する神経学的障害の診断方法。
【請求項１６】  Ｍａファミリーポリペプチド試料がＭａ１を含有してなる請求項１５記載の方法。
【請求項１７】  Ｍａファミリーポリペプチド試料がＭａ２を含有してなる請求項１５記載の方法。
【請求項１８】  Ｍａファミリーポリペプチド試料がＭａ１及びＭａ２を含有してなる請求項１５記載の方法。
【請求項１９】  試験試料が、血液、血清、脳脊髄液、尿、鼻分泌物及び唾液からなる群より選ばれる試料を含有してなる請求項１５記載の方法。
【請求項２０】  試験試料が、体液又は体組織の試料から単離された抗体を含有してなる請求項１５記載の方法。
【請求項２１】  ａ）  存在する場合、抗体がＭａファミリーポリペプチドに結合可能な条件下、個体由来の試験試料を、Ｍａファミリーポリペプチドが、
1）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
2）Ｍａ１（配列番号：４）、
3）Ｍａ２（配列番号：７）、
4）Ｍａ３（配列番号：９）、
5）Ｍａ４（配列番号：１１）、ならびに
6）Ｍａ５（配列番号：１３）
からなる群より選択される、Ｍａファミリーポリペプチド試料に接触させ、それにより接触試料を生成させる工程； 
ｂ）  接触試料中の抗−Ｍａファミリーポリペプチド抗体の量を測定する工程；並びに
ｃ）  接触試料中の抗−Ｍａファミリーポリペプチド抗体の量を、少なくとも１つの比較陰性対照試料中の抗−Ｍａファミリーポリペプチド抗体の量と比較する工程、
を含み、接触試料中の抗−Ｍａファミリーポリペプチド抗体の量が比較陰性対照試料中の抗−Ｍａファミリーポリペプチド抗体の量よりも有意に多いことが、新生物の存在と関連する神経学的障害の存在を示す、個体における新生物の存在と関連する神経学的障害の診断方法。
【請求項２２】  Ｍａファミリーポリペプチド試料がＭａ１を含有してなる請求項２１記載の方法。
【請求項２３】  Ｍａファミリーポリペプチド試料がＭａ２を含有してなる請求項２１記載の方法。
【請求項２４】  Ｍａファミリーポリペプチド試料がＭａ１及びＭａ２を含有してなる請求項２１記載の方法。
【請求項２５】  試験試料が、血液、血清、脳脊髄液、尿、鼻分泌物及び唾液からなる群より選ばれる試料を含有してなる請求項２１記載の方法。
【請求項２６】  試験試料が、体液又は体組織の試料から単離された抗体を含有してなる請求項２１記載の方法。
【請求項２７】  ａ）  存在する場合、抗体がＭａファミリーポリペプチドに結合可能な条件下、個体由来の試験試料を、Ｍａファミリーポリペプチドが、
1）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
2）Ｍａ１（配列番号：４）、
3）Ｍａ２（配列番号：７）、
4）Ｍａ３（配列番号：９）、
5）Ｍａ４（配列番号：１１）、ならびに
6）Ｍａ５（配列番号：１３）
からなる群より選択される、Ｍａファミリーポリペプチド試料に接触させ、それにより接触試料を生成させる工程；
ｂ）  接触試料中の抗−Ｍａファミリーポリペプチド抗体の量を測定する工程；並びに
ｃ）  接触試料中の抗−Ｍａファミリーポリペプチド抗体の量を、少なくとも１つの比較陰性対照試料中の抗−Ｍａファミリーポリペプチド抗体の量と比較する工程、
を含み、接触試料中の抗−Ｍａファミリーポリペプチド抗体の量が比較陰性対照試料中の抗−Ｍａファミリーポリペプチド抗体の量よりも有意に多くないことが、新生物の存在と関連する神経学的障害の非存在を示す、個体における新生物の存在と関連する神経学的障害の診断方法。
【請求項２８】  Ｍａファミリーポリペプチド試料がＭａ１を含有してなる請求項２７記載の方法。
【請求項２９】  Ｍａファミリーポリペプチド試料がＭａ２を含有してなる請求項２７記載の方法。
【請求項３０】  Ｍａファミリーポリペプチド試料がＭａ１及びＭａ２を含有してなる請求項２７記載の方法。
【請求項３１】  試験試料が、血液、血清、脳脊髄液、尿、鼻分泌物及び唾液からなる群より選ばれる試料を含有してなる請求項２７記載の方法。
【請求項３２】  試験試料が、体液又は体組織の試料から単離された抗体を含有してなる請求項２７記載の方法。
【請求項３３】  個体由来の試験試料を、Ｍａファミリーポリペプチドに対する抗体の存在について評価する工程を含み、その際、Ｍａファミリーポリペプチドが、
a）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
b）Ｍａ１（配列番号：４）、
c）Ｍａ２（配列番号：７）、
d）Ｍａ３（配列番号：９）、
e）Ｍａ４（配列番号：１１）、ならびに
f）Ｍａ５（配列番号：１３）
からなる群より選択され、Ｍａファミリーポリペプチドに対する抗体の存在が新生物の存在を示す、個体における新生物の診断方法。
【請求項３４】  ＭａファミリーポリペプチドがＭａ１である請求項３３記載の方法。
【請求項３５】  新生物が、乳癌、結腸癌、耳下腺癌、肺癌、精巣癌及び生殖細胞腫からなる群より選ばれる請求項３４記載の方法。
【請求項３６】  ＭａファミリーポリペプチドがＭａ２である請求項３３記載の方法。
【請求項３７】  新生物が、精巣癌もしくは生殖細胞腫、または精巣癌および生殖細胞腫の双方である請求項３６記載の方法。
【請求項３８】  個体由来の試験試料を、Ｍａファミリーポリペプチドに対する抗体の存在又は非存在について評価する工程を含み、その際、Ｍａファミリーポリペプチドが、
a）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
b）Ｍａ１（配列番号：４）、
c）Ｍａ２（配列番号：７）、
d）Ｍａ３（配列番号：９）、
e）Ｍａ４（配列番号：１１）、ならびに
f）Ｍａ５（配列番号：１３）
からなる群より選択され、Ｍａファミリーポリペプチドに対する抗体の非存在が新生物の非存在を示す、個体における新生物の診断方法。
【請求項３９】  ＭａファミリーポリペプチドがＭａ１である請求項３８記載の方法。
【請求項４０】  新生物が、乳癌、結腸癌、耳下腺癌、肺癌、精巣癌及び生殖細胞腫からなる群より選ばれる請求項３９記載の方法。
【請求項４１】  ＭａファミリーポリペプチドがＭａ２である請求項３８記載の方法。
【請求項４２】  新生物が、精巣癌もしくは生殖細胞腫、または精巣癌および生殖細胞腫の双方である請求項４１記載の方法。
【請求項４３】  a）Ｍａファミリーポリペプチドが、
1）脳もしくは精巣により、または脳および精巣の双方により発現され、かつＭａ１（配列番号：４）、Ｍａ２（配列番号：７）、Ｍａ３（配列番号：９）、Ｍａ４（配列番号：１１）、およびＭａ５（配列番号：１３）からなる群より選択される1つ以上のポリペプチドに特異的に結合する抗体によって認識されるポリペプチド、
2）Ｍａ１（配列番号：４）、
3）Ｍａ２（配列番号：７）、
4）Ｍａ３（配列番号：９）、
5）Ｍａ４（配列番号：１１）、ならびに
6）Ｍａ５（配列番号：１３）
からなる群より選択される、Ｍａファミリーポリペプチド試料  
b）抗−Ｍａファミリーポリペプチド抗体に結合する検出用抗体
を含有してなる、新生物の存在と関連する神経学的障害の診断に使用するキット。
【請求項４４】  Ｍａファミリーポリペプチド試料がＭａ１を含有してなる請求項４３記載のキット。
【請求項４５】  Ｍａファミリーポリペプチド試料がＭａ２を含有してなる請求項４３記載のキット。
【請求項４６】  Ｍａファミリーポリペプチド試料がＭａ１及びＭａ２を含有してなる請求項４３記載のキット。
【請求項４７】  単離されたＭａファミリーポリペプチド又はその機能的誘導体若しくは断片。
【請求項４８】  ポリペプチドが、配列番号：４、配列番号：７、配列番号：９、配列番号：１１及び配列番号：１３からなる群より選ばれるアミノ酸配列を含有するものである請求項４７記載の単離されたＭａファミリーポリペプチド。
【請求項４９】  Ｍａファミリーポリペプチドを含有してなる単離された融合タンパク質。
【請求項５０】  Ｍａファミリーポリペプチドが、配列番号：４、配列番号：７、配列番号：９、配列番号：１１及び配列番号：１３からなる群より選ばれるアミノ酸配列を含有するものである請求項４９記載の融合タンパク質。
【請求項５１】  Ｍａファミリーポリペプチド又はその機能的誘導体若しくは断片をコードする、単離された核酸分子。
【請求項５２】  該核酸分子が、配列番号：３、配列番号：６、配列番号：８、配列番号：１０及び配列番号：１２からなる群より選ばれるヌクレオチド配列を含有するものである請求項５１記載の単離された核酸分子。
【請求項５３】  調節配列に作動可能に連結された請求項５１記載の単離された核酸分子を含有してなるＤＮＡ構築物。
【請求項５４】  調節配列に作動可能に連結された請求項５１記載の単離された核酸分子を含有してなる組換え宿主細胞。
【請求項５５】  請求項５４記載の組換え宿主細胞を培養する工程を含む、Ｍａファミリーポリペプチド又はその活性誘導体若しくは断片の製造方法。
【請求項５６】  請求項４７記載の単離されたＭａファミリーポリペプチド又はその活性誘導体若しくは断片に選択的に結合する抗体又はその抗原結合性断片。